(57)【要約】【課題】  ガイド軸の長さが異なるときでも光ピックアップのチルド角調整を容易に行う。【解決手段】  光ピックアップ４は長さＬ１のガイド軸Ａと長さＬ２（Ｌ１＞Ｌ２）のガイド軸Ｂにより案内支持されている。Ａ軸の一端は支持部材８により固定されており、他端は調整部材９により保持されている。Ｂ軸の両端は、それぞれ、調整部材１０と１１により保持されている。調整部材９〜１１の調整ネジ１２〜１４を回転することにより対応する軸の端部の上下方向の位置を調整することができる。Ａ軸の調整ネジ１２のピッチとＢ軸の調整ネジ１４のピッチの比はＡ軸とＢ軸の長さの比（Ｌ１／Ｌ２）と等しくなるようにされており、調整ネジ１２と１４を同一量回転させたときのＡ軸とＢ軸の上下方向への角度変化量が等しくなり、軸の長さが異なっていても光ピップアップ４の傾きの調整を容易に行うことができる。【選択図】  図１
2006164345.tif 000002
【特許請求の範囲】
【請求項１】
光ピックアップを案内支持する長さの異なる第１のガイド軸と第２のガイド軸を有し、
前記第１のガイド軸及び前記第２のガイド軸には、それぞれの端部を上下に移動させる調整部材が設けられており、
前記調整部材によって前記端部を上下に移動させることにより前記光ピックアップの傾き調整を行うようになされた光ディスク装置のピックアップ角度調整機構であって、
前記第１のガイド軸に設けられた調整部材の所定量の操作による第１のガイド軸の端部の移動量と前記第２のガイド軸に設けられた調整部材の前記所定量の操作による第２のガイド軸の端部の移動量の比が、前記第１のガイド軸と前記第２のガイド軸の長さの比と等しくされていることを特徴とする光ディスク装置のピックアップ角度調整機構。
【請求項２】
前記調整部材は調整ネジの回転に応じて前記ガイド軸の端部を上下に移動させるものであり、前記第１のガイド軸用の調整ネジのピッチと前記第２のガイド軸用の調整ネジのピッチの比が、前記第１のガイド軸と前記第２のガイド軸の長さの比と等しくされていることを特徴とする請求項１記載の光ディスク装置のピックアップ角度調整機構。
【請求項３】
前記調整部材はカムの回転に応じて前記ガイド軸の端部を上下に移動させるものであり、前記第１のガイド軸用のカムによる変換量と前記第２のガイド軸用のカムによる変換量の比が、前記第１のガイド軸と前記第２のガイド軸の長さの比と等しくされていることを特徴とする請求項１記載の光ディスク装置のピックアップ角度調整機構。
【請求項４】
前記調整部材は前記ガイド軸の端部が挿入される傾斜して設けられた長穴を有するスライダーを備えたものであり、前記第１のガイド軸の端部が挿入される長穴の傾斜と前記第２のガイド軸の端部が挿入される長穴の傾斜の比が、前記第１のガイド軸と前記第２のガイド軸の長さの比と等しくされていることを特徴とする請求項１記載の光ディスク装置のピックアップ角度調整機構。
【請求項５】
前記調整部材は、前記ガイド軸の端部を保持する軸保持部材であって、支点を中心として設定された量だけ回動するようになされた軸保持部材であり、前記第１のガイド軸の軸保持部材の支点から第１のガイド軸の端部までの距離と前記第２のガイド軸の軸保持部材の支点から第２のガイド軸までの距離の比が、前記第１のガイド軸と前記第２のガイド軸の長さの比と等しくされていることを特徴とする請求項１記載の光ディスク装置のピックアップ角度調整機構。
【発明の詳細な説明】
【技術分野】
【０００１】
本発明は光ディスク装置のピックアップ角度調整機構に関する。
【背景技術】
【０００２】
従来より、光ディスク記録再生装置などの光ディスク装置においては、光ヘッドからのレーザ光の光軸が光ディスクの記録面に対して垂直となるように調整するためのピックアップ角度調整機構が設けられている。
図３は、従来の光ディスク装置のピックアップ角度調整機構の構成を示す図である。
この図において、３１はシャーシ、３２は光ディスクを回転させるスピンドルモータ、３３は光ディスクが載置されるターンテーブル、３４は光ピックアップ、３５は該光ピックアップ４に取り付けられた光ヘッド、３６は第１のガイド軸（Ａ軸）、３７は第２のガイド軸（Ｂ軸）である。前記光ピックアップ３４はＡ軸３６とＢ軸３７に結合され、図示しない駆動装置によりＡ軸３６とＢ軸３７に沿って光ディスクの半径方向（Ｒ方向）に往復動することができるようになされている。
前記Ａ軸３６の前記ターンテーブル３３側の端部Ａ−１は支持部材３８により前記シャーシ３１に支持されており、他端Ａ−２は調整部材３９により支持されている。また、前記Ｂ軸３７の両端Ｂ−１及びＢ−２には調整部材４０及び４１が設けられている。前記支持部材３８により支持されているＡ軸３６の端部Ａ−１の高さは一定であり、前記調整部材３９〜４１によりＡ軸３６の端部Ａ−２、Ｂ軸３７の端部Ｂ−１及びＢ−２の高さ（シャーシ３１と垂直な方向の位置）を調整することにより光ピックアップ３４の傾きを調整することができる。
このようにして、前記光ヘッド３５から照射されるレーザ光のチルト角（光ヘッドの光軸と光ディスク記録面との傾き）を調整することができるようになされている。
【０００３】
従来より、前記調整部材３９〜４１として各種のものが提案されている。
例えば、特許文献１（特開２００３−１８７５３８号公報）には、ガイド軸の端部を一端で支持するとともに他端を中心に前記光ディスク面にほぼ垂直な方向に回動可能な調整プレートと、前記ガイド軸と調整プレートとを前記光ディスクの面にほぼ垂直な方向に弾性付勢する弾性手段と、前記調整プレートに対して貫通状態でねじ合わされるとともに、その先端がベースに当たることによって、前記ガイド軸と調整プレートとを前記弾性手段の弾性付勢力に抗して前記光ディスクの面にほぼ垂直な方向に変位させる調整ネジとを配設したガイド軸調整手段が記載されている。
また、特許文献２（特開２００２−１７０２４８号公報）には、ガイド軸の端部分を上方から押圧付勢するバネとシャーシに螺合して下側から支える調整ネジを備えた高さ調整機構が提案されている。
さらに、特許文献３（特開２０００−０２０９６２号公報）には、ガイド軸の端部をシャーシに直交する方向に常時押し上げるバネ部材と、このバネ部材に抗してガイド軸の端部がシャーシ上に押し上がるのを阻止する円盤部を備えた断面Ｔ字状の係止部材とを有する高さ方向調整機構が提案されている。
さらにまた、特許文献４（特開平１０−１４３８７０号公報）には、調整ネジを回転することにより調整ネジが水平方向に微動し、調整ネジのテーパー部で支持されたガイド軸が垂直方向に高さを変化させるように構成された調整機構が提案されている。
さらにまた、特許文献５（特開平０９−３２０２１４号公報）には、ガイド軸の軸受け部としてカムを使用した調整部材が提案されている。
さらにまた、特許文献６（特開２００１−３４４７６６号公報）には、ガイド軸の端部が挿入される所定の角度の傾斜された長穴を有する調整ブロックを使用し、前記調整ブロックの位置を移動させることによりガイド軸の端部の高さを調整する調整機構が提案されている。
さらにまた、特許文献７（特開平１０−０６４０９６号公報）及び特許文献８（特開２００２−２８８８６１号公報）には、偏心カムを使用した位置調整部材が提案されている。
【特許文献１】特開２００３−１８７５３８号公報
【特許文献２】特開２００２−１７０２４８号公報
【特許文献３】特開２０００−０２０９６２号公報
【特許文献４】特開平１０−１４３８７０号公報
【特許文献５】特開平０９−３２０２１４号公報
【特許文献６】特開２００１−３４４７６６号公報
【特許文献７】特開平１０−０６４０９６号公報
【特許文献８】特開２００２−２８８８６１号公報
【発明の開示】
【発明が解決しようとする課題】
【０００４】
上述のように光ピックアップを案内支持する２本のガイド軸の傾きを位置調整部材により調整する場合に、各位置調整部材における調整量が同じであれば、対応するガイド軸の端部の上下方向移動量は同じとなるが、そのガイド軸の水平に対する角度の変化量はガイド軸の長さに応じた量となる。
図４は、長さの異なる２つのガイド軸の角度を調整するときについて説明するための図である。
この図に示すように、Ａ軸の長さＬ１とＢ軸の長さＬ２とが異なっている（図示する例では、Ｌ１＞Ｌ２）場合には、各軸を垂直面内で角度θだけ回転させるとすると、そのときＡ軸の端部においては高さがｌ１だけ変化し、Ｂ軸７の端部においては高さがｌ２（ｌ１＞ｌ２）だけ変化することとなる。すなわち、長さが異なるＡ軸とＢ軸を同じ角度θだけ回転させようとするときには、Ａ軸の端部はｌ１だけ移動させ、Ｂ軸の端部はｌ２だけ移動させることが必要となる。
【０００５】
例えば、ガイド軸の端部の高さを調整する調整部材がネジを使用するものである場合、ネジ１回転あたりの上下方向移動量は同じになるが、上述のように、水平に対する角度変化量は軸長さが異なれば異なった量となる。
手動で光ピックアップの傾きを調整するときは、ネジの回転角に対するガイド軸の傾き（角度）の変化量が２本の軸の間で同じである方が調整がやりやすい。
このことは、調整ネジ以外のものを使用する調整部材であっても同様である。
従来の方法では、この条件を満たすためには軸長さを同じにしなければならず、無駄なスペースを必要としていた。
【０００６】
そこで本発明は、２本のガイド軸の長さが異なる場合でも、容易に光ピックアップの角度を調整することができる光ディスク装置のピックアップ角度調整機構を提供することを目的としている。
【課題を解決するための手段】
【０００７】
上記目的を達成するために、本発明の光ディスク装置のピックアップ角度調整機構は、光ピックアップを案内支持する長さの異なる第１のガイド軸と第２のガイド軸を有し、それらの端部をそれぞれに設けられた調整部材により上下に移動させることにより前記光ピックアップの傾き調整を行うようになされたものであって、前記第１のガイド軸の端部に設けられた調整部材の所定量の操作による第１のガイド軸の端部の移動量と前記第２のガイド軸の端部に設けられた調整部材の前記所定量の操作による第２のガイド軸の端部の移動量の比が、前記第１のガイド軸と前記第２のガイド軸の長さの比と等しくされていることを特徴としている。
そして、前記調整部材が調整ネジの回転に応じて前記ガイド軸の端部を上下に移動させるものであるときは、前記第１のガイド軸用の調整ネジのピッチと前記第２のガイド軸用の調整ネジのピッチの比が、前記第１のガイド軸と前記第２のガイド軸の長さの比と等しくされている。
また、前記調整部材がカムの回転に応じて前記ガイド軸の端部を上下に移動させるものであるときは、前記第１のガイド軸用のカムによる変換量と前記第２のガイド軸用のカムによる変換量の比が、前記第１のガイド軸と前記第２のガイド軸の長さの比と等しくされている。
さらにまた、前記調整部材が前記ガイド軸の端部が挿入される傾斜して設けられた長穴を有するスライダーを備えたものであるときは、前記第１のガイド軸の端部が挿入される長穴の傾斜と前記第２のガイド軸の端部が挿入される長穴の傾斜の比が、前記第１のガイド軸と前記第２のガイド軸の長さの比と等しくされている。
さらにまた、前記調整部材が、前記ガイド軸の端部を保持する軸保持部材であって、支点を中心として設定された量だけ回動するようになされた軸保持部材であるときは、前記第１のガイド軸の軸保持部材の支点から第１のガイド軸の端部までの距離と前記第２のガイド軸の軸保持部材の支点から第２のガイド軸までの距離の比が、前記第１のガイド軸と前記第２のガイド軸の長さの比と等しくされている。
【発明の効果】
【０００８】
本発明の光ディスク装置のピックアップ角度調整機構によれば、調整部材の所定量の操作による第１のガイド軸の端部の移動量と第２のガイド軸の端部の移動量の比が第１のガイド軸と第２のガイド軸の長さの比と等しくされているので、光ピックアップを案内支持する２本のガイド軸の長さが異なっていても、調整部材の同一の操作量による各ガイド軸の傾きの変化量が等しくなり、ガイド軸の長さが等しい場合と同様に容易に光ピックアップの傾きの調整を行うことができる。
また、２本のガイド軸の長さを同じ長さとする必要がないので、ガイド軸の長さを最適値、例えば、必要最小限なものとすることができ、スペースを有効に使用することができる。さらに、強度的にも有利なものとすることができる。
【発明を実施するための最良の形態】
【０００９】
本発明の光ディスク装置のピックアップ角度調整機構の第一の実施の形態について図１を参照して説明する。図１の（ａ）は本発明の光ディスク装置のピックアップ角度調整機構の一実施の形態の構成を示す斜視図、（ｂ）は図１（ａ）中のＰ方向からみた要部断面図であって調整部材の構成を示す図、（ｃ）は調整部材の動作原理を説明するための図である。
この図において、１はシャーシ、２は光ディスクを回転させるスピンドルモータ、３は光ディスクが載置されるターンテーブル、４は光ピックアップ、５は光ヘッド、６は第１のガイド軸（Ａ軸）、７は第２のガイド軸（Ｂ軸）である。ここで、本発明においては、Ａ軸６の長さがＬ１、Ｂ軸７の長さがＬ２（Ｌ１≠Ｌ２）であり、２本のガイド軸の長さが異なっている。図示するように、光ピックアップ４はＡ軸６とＢ軸７に結合されており、図示しない駆動手段により、Ａ軸６とＢ軸７に沿って光ディスクの半径方向（図中Ｒ方向）に移動するようになされている。前記Ａ軸６の前記ターンテーブル３側の端部Ａ−１は、支持部材８により支持されており、その高さは一定とされている。Ａ軸６の他方の端部Ａ−２は、調整部材９により支持されており、前記Ｂ軸７の前記ターンテーブル３側の端部Ｂ−１及び他方の端部Ｂ−２は、それぞれ、対応する調整部材１０及び１１により支持されている。各調整部材９、１０及び１１には、それぞれ、調整ネジ１２、１３及び１４が設けられており、各調整ネジ１２〜１４を回転することにより対応するガイド軸の端部の上下方向（シャーシ１と垂直な方向）の位置、すなわち高さ、を変更させることができるようになされている。
【００１０】
図１の（ｂ）は、前記調整部材９の構成を示す図であり、前記図１（ａ）においてＰ方向からみた要部断面図である。なお、前記調整部材１０及び１１もこの調整部材９と同様の構成とされている。
この図において、１６はバネ部材であって、前記シャーシ１の下面に取り付けられ、シャーシ１の開口部１５に配置された第１のガイド軸（Ａ軸）６を常に下方から押し上げるバネ部材である。１７は押さえ金具であって、シャーシ１の上面に取り付けられ、前記Ａ軸６の上面に当接してＡ軸６が押し上がるのを阻止する押さえ金具である。図示するように、押さえ金具１７の中央部付近にはシャーシ１と螺合する調整ネジ１２が貫通する穴が設けられており、前記押さえ金具１７の点１８（シャーシ１に固定されている個所）を支点とする上方への回動量を該調整ネジ１２の頭部が押さえ金具１７に当たることにより規制するようにされている。
このように、バネ部材１６と押さえ金具１７により第１のガイド軸６を保持するようになされており、前記調整ネジ１２を調整することにより、Ａ軸６の上下方向の位置を調整することができる。
調整部材１０及び１１についても、同様に、調整ネジ１３又は１４により第２のガイド軸（Ｂ軸）７の上下方向の位置を調整することができる。
このように、この実施の形態においては、ガイド軸を保持する軸保持部材が調整部材とされている。
【００１１】
このように構成された光ディスク装置のピックアップ角度調整機構において、前記光ピックアップ４の角度の調整は、次の手順で行われる。
（１）まず、光ピックアップ４を最内周側（ターンテーブル３側）に移動する。
（２）Ｂ軸７の内周側の端部Ｂ−１に設けられた調整部材１０の調整ネジ１３を調整して、図１中のＪ方向（光ディスク面内で前記Ｒ方向と直交する方向）で光ディスク面と光ピックアップ４が平行となるように調整する。
（３）次に、光ピックアップ４を光ディスクの最外周側に移動する。
（４）Ｂ軸７の外周側の端部Ｂ−２に設けられた調整部材１１の調整ネジ１４を調整して、光ピックアップ４が光ディスク面とＪ方向で平行となるように調整する。
（５）次に、Ａ軸６の外周側の端部Ａ−２に設けられた調整部材９の調整ネジ１２とＢ軸７の外周側の端部Ｂ−２に設けられた調整部材１１の調整ネジ１４を調整して、Ｒ方向で光ディスク面と光ピックアップ４とが平行となるように調整する。
【００１２】
前述のように、本発明においては、前記Ａ軸６の長さＬ１とＢ軸７の長さＬ２が異なっている（Ｌ１≠Ｌ２）ため、上記（５）において、長さが異なるＡ軸６とＢ軸７の傾きを調整することとなる。
そこで、本発明においては、前記Ａ軸の端部の高さを調整する調整部材９と前記Ｂ軸の端部の高さを調整する調整部材１１とで、同一の操作量に対応するガイド軸の端部の高さの変化量をそれぞれの軸の長さに対応する量となるようにし、Ａ軸とＢ軸の垂直面内の回転角度の変化量、すなわち、図４においてθで表された角度の変化量が同一となるようにした。
すなわち、この実施の形態においては、図１の（ｃ）に記載のように、前記Ａ軸６の端部Ａ−２の高さを調整する調整部材９の調整ネジ１２と、前記Ｂ軸６の端部Ｂ−２の高さを調整する調整部材１１における調整ネジ１４のピッチを異ならせることとし、調整ネジ１２のピッチＰＡと調整ネジ１４のピッチＰＢの比（ＰＡ／ＰＢ）を、前記Ａ軸とＢ軸の長さの比（Ｌ１／Ｌ２）と等しくなるように設定した（ＰＡ／ＰＢ＝Ｌ１／Ｌ２）。
これにより、上記工程（５）において、調整部材９と調整部材１１とを用いて前記光ピックアップ４がＲ方向で光ディスク面に対して平行となるように調整するときに、Ａ軸及びＢ軸の水平面に対する角度を同じ感覚で調整することが可能となる。すなわち、調整部材９の調整ネジ１２の所定の回転量に応じてＡ軸の端部Ａ−２は上下方向への移動をする。同様に、調整部材１１の調整ネジ１４の同じ回転量に応じてＢ軸の端部Ｂ−２は上下方向への移動をする。調整ネジ１２と１４のピッチが異なっているので、端部Ａ−２の移動量に相当するＡ軸の水平面に対する角度変化（垂直面内の回転角度の変化量）と、端部Ｂ−２の移動量に相当するＢ軸の水平面に対する角度変化とを等しくすることができる。これによって、Ａ軸及びＢ軸の水平面に対する角度を同じ感覚で調整することが可能となる。したがって、Ａ軸とＢ軸の長さが異なっている場合でも、上記工程（５）の調整を容易に行うことができる。
【００１３】
また、上記においては、調整ネジのピッチを変更したが、これとは異なる方法によってもＡ軸の傾きの角度とＢ軸の傾きの角度の変化量を一定とすることができる。
例えば、Ａ軸用の調整部材９とＢ軸用の調整部材１０及び１１において、調整ネジのピッチは同一とし、前記押さえ金具１７の長さを異なる長さとしても、同様の作用効果を奏することができる。
前記図１の（ｂ）に示した構成を有する調整部材９と調整部材１１における前記押さえ金具１７の回動の支点１８から前記調整ネジ１２又は調整ネジ１４までの距離をＭとする。また、前記調整部材９における前記点１８からガイド軸６に当接する部分の中心までの距離をＮＡとし、前記調整部材１１における前記点１８からガイド軸７に当接する部分の中心までの距離をＮＢとする。
このとき、各調整部材における点１８から調整ネジまでの距離Ｍは一定とし、ガイド軸に当接する部分の中心までの長さの比（ＮＡ／ＮＢ）が、前記Ａ軸とＢ軸の長さの比（Ｌ１／Ｌ２）と等しくなるようにする（ＮＡ／ＮＢ＝Ｌ１／Ｌ２）。
この場合にも、前記各調整ネジ１２，１４を同じ量だけ回転させたときに、それぞれのガイド軸６，７の端部の上下方向の移動量がそれぞれの軸の長さに対応した量となって、各軸の垂直面内での回転角度が等しくなり、容易に調整を行うことができる。  
【００１４】
なお、上述した各実施の形態においては、前記シャーシ１に開口部１５を設け、該開口部１５内に前記ガイド軸６、ガイド軸７、前記光ピックアップ４などを配置し、前記図１（ｂ）に示した構成を有する調整部材９，１０及び１１を有することにより、薄型化を図ることができるものであったが、調整部材の構成は上述したものに限られることはない。
すなわち、前述した特許文献１〜３に記載された調整部材のよう調整ネジを用いる場合にも上述と同様に、各調整ネジのピッチを対応するガイド軸の長さに応じたものとすればよい。
なお、前記調整部材１０についても、操作量に対応する変化量が調整部材１１のそれと同一となっているとよい。この場合には、ガイド軸Ｂを上下に平行移動させる際に、両端を同じ感覚で調整することが可能となる。
【００１５】
図２は、さらに他の実施の形態について説明するための図であり、（ａ）は上述した特許文献４のように、調整ネジに設けられたテーパー部によりガイド軸の端部の上下方向の位置を調整するものに適用した場合、（ｂ）は上述した特許文献５のようにカムを用いてガイド軸の端部の上下方向の位置を調整するものに適用した場合、（ｃ）は上述した特許文献６のようにガイド軸が挿入される所定の角度の傾斜をもって形成された長穴（カム穴）を有する調整機構を用いてガイド軸の端部の上下方向の位置を調整するものに適用した場合をそれぞれ示している。
【００１６】
図２の（ａ）に示すように、調整ネジに設けられたテーパー部によりガイド軸の端部の上下方向の位置を調整する場合は、Ａ軸６の端部に当接する調整ネジ２１のテーパー部の傾きｄＡとＢ軸７の端部に当接する調整ネジ２２のテーパー部の傾きｄＢの比（ｄＡ／ｄＢ）を、Ａ軸６の長さＬ１とＢ軸７の長さＬ２の比（Ｌ１／Ｌ２）と等しくなるように設定する。
これにより、調整ネジ２１と調整ネジ２２を同量だけ回転したときにおけるＡ軸６及びＢ軸の垂直面内での回転角度を等しくすることができる。
【００１７】
また、図２の（ｂ）に示すように、カムを使用する場合には、Ａ軸６の端部の軸受け部となるカム２３の傾きｄＡとＢ軸７の端部の軸受け部となるカム２４の傾きｄＢの比（ｄＡ／ｄＢ）を、Ａ軸６の長さＬ１とＢ軸７の長さＬ２の比（Ｌ１／Ｌ２）と等しくなるように設定する。
これにより、カム２３と２４を同じ量だけ回転させたときに、Ａ軸６とＢ軸７の端部の上下方向の移動量がその長さの比に対応する量となり、Ａ軸６とＢ軸７の垂直面内の回転角度を等しくすることができる。
【００１８】
さらに、図２の（ｃ）に示すように、Ａ軸６の端部が挿入される傾斜して設けられた長穴２５とＢ軸７の端部が挿入される傾斜して設けられた長穴２６を有するスライダーを備えた調整部材２７を用いる場合には、Ａ軸６が挿入される長穴２５の傾きｄＡとＢ軸７が挿入される長穴２６の傾きｄＢの比（ｄＡ／ｄＢ）が、Ａ軸の長さＬ１とＢ軸の長さＬ２の比（Ｌ１／Ｌ２）と等しくなるように形成する。
これにより、調整部材２７を図中矢印方向に移動させたときに、Ａ軸の端部の上下方向の移動量とＢ軸の端部の上下方向の移動量がそれぞれの長さに対応した値となり、Ａ軸とＢ軸の垂直面内の回転角度が等しくなる。
【００１９】
さらにまた、前記特許文献７及び８に記載されているような偏心カムを用いる場合においても、各調整部材における偏心カムの偏心量を、対応するガイド軸の長さに応じた値とすることにより、各調整部材の偏心カムを同じ量だけ回転させたときにそれぞれの軸の垂直面内での回転角度をほぼ等しいものとすることができる。
【００２０】
なお、上述した各実施の形態において、調整ネジのピッチの比（ＰＡ／ＰＢ）、押さえ金具の長さの比（ＮＡ／ＮＢ）、調整ネジのテーパー部、カム及び長穴の傾きの比（ｄＡ／ｄＢ）は、Ａ軸とＢ軸の長さの比（Ｌ１／Ｌ２）と厳密に等しくする必要はない。調整操作を行うときに、Ａ軸用の調整部材とＢ軸用の調整部材を同量操作したときに、Ａ軸の回転量とＢ軸の回転量が感覚的に同一となればよい。
また、上記においては、例えば、各ガイド軸の必要最小限の長さからＡ軸とＢ軸の長さＬ１とＬ２を決定し、その後に、ピッチの比が両軸の長さの比となるように調整ネジのピッチＰＡとＰＢを決定するものとしていたが、各ガイド軸の長さを大略決定しておき、既存のネジの中からピッチの比がガイド軸の長さの比と近い値となるピッチを有するネジを選択して調整ネジとし、その後、前記ガイド軸の長さを該選択した調整ネジのピッチの比と等しくなる値に最終的に決定するようにしてもよい。
【図面の簡単な説明】
【００２１】
【図１】本発明の光ディスク装置のピックアップ角度調整機構の第１の実施の形態の構成を示す図であり、（ａ）は概略斜視図、（ｂ）は調整部材の構成を示す図、（ｃ）は調整部材の動作原理を説明するための図である。
【図２】本発明の光ディスク装置のピックアップ角度調整機構の他の実施の形態について説明するための図であり、（ａ）はテーパー部を有する調整ネジを使用する場合、（ｂ）はカムを使用する場合、（ｃ）はスライダーを備えた調整部材を用いる場合、の各場合における実施の形態を示す図である。
【図３】従来の光ディスク装置のピックアップ角度調整機構について説明するため図である。
【図４】ガイド軸の長さが異なる場合について説明するための図である。
【符号の説明】
【００２２】
１：シャーシ、２：スピンドルモータ、３：ターンテーブル、４：光ピックアップ、５：光ヘッド、６：第１のガイド軸（Ａ軸）、７：第２のガイド軸（Ｂ軸）、８：支持部材、９，１０，１１：調整部材、１２，１３，１４：調整ネジ、１５：開口部、１６：バネ部材、１７：押さえ金具、１８：支点、２１，２２：テーパー部を有する調整ネジ、２３，２４：カム、２５，２６：長穴、２７：スライダーを備えた調整部材
【図１】
2006164345.tif 000003
【図２】
2006164345.tif 000004
【図３】
2006164345.tif 000005
【図４】
2006164345.tif 000006